(57)【要約】【課題】  カラオケ利用者がそれを歌唱したくなるような動機付けとなり得る働きかけを演出させるとともに、利用者にその動機付けが生じた場合にはそれに迅速かつ円滑に対応させる。【解決手段】  楽曲ＩＤ、作品ＩＤ、選択コマンドの各入力をそれぞれ可能とし、楽曲ＩＤの入力を受け付けた際は、当該楽曲ＩＤを待ち行列に登録し、作品ＩＤの入力を受け付けた際は、当該作品ＩＤを待ち行列に登録し、待ち行列に登録された作品ＩＤの順番になった際は、その作品ＩＤに対応付けられた楽曲紹介オムニバス作品を再生するとともに、その再生中に選択コマンドの入力を受け付けた際は、その入力の受付時点で再生中のオムニバス作品の音楽映像短編作品に付属している楽曲ＩＤを待ち行列に登録させる。【選択図】  図２
2010237557.tif 000002
【特許請求の範囲】
【請求項１】
演奏予約の待ち行列に登録された楽曲ＩＤに対応するカラオケデータをデータベースから取得して当該楽曲のカラオケ伴奏音楽とカラオケ映像作品を音響映像出力するカラオケ装置であって、
データベースは、作品ＩＤに対応付けされた楽曲紹介オムニバス作品を含み、
楽曲紹介オムニバス作品は、複数の異なる楽曲の音楽映像短編作品を時系列に連続させた作品であり、
音楽映像短編作品は、楽曲単位で音楽と映像を融合させた音楽映像作品の一部分であり、当該楽曲の楽曲ＩＤが付属し、
演奏予約用の操作入力手段は、作品ＩＤの入力を受け付け可能とし、
制御手段は、作品ＩＤの入力を受け付けた際、当該作品ＩＤを待ち行列に登録し、
制御手段は、待ち行列に登録された作品ＩＤの順番になった際、データベースから取得した当該作品ＩＤの楽曲紹介オムニバス作品を再生し、
操作入力手段は、楽曲紹介オムニバス作品の再生中において、選択コマンドの入力を受け付け可能とし、
制御手段は、選択コマンドの入力を受け付けた際、再生中の音楽映像短編作品に付属している楽曲ＩＤを待ち行列に登録する
カラオケ装置。
【請求項２】
制御手段は、楽曲紹介オムニバス作品の再生中において、選択コマンドの入力を１回だけ受け付ける
請求項１に記載のカラオケ装置。
【請求項３】
制御手段は、受け付けた選択コマンドにより特定された楽曲ＩＤを待ち行列の先頭に登録する
請求項１または２に記載のカラオケ装置。
【請求項４】
制御手段は、楽曲紹介オムニバス作品の再生中において、選択コマンドの入力を複数回受け付け、各回の選択コマンドにより特定された楽曲ＩＤを、重複を排しつつ待ち行列の末尾に逐次登録する
請求項１に記載のカラオケ装置。
【請求項５】
制御手段は、楽曲紹介オムニバス作品の再生中において、選択コマンドの入力を複数回受け付け、最初の選択コマンドにより特定された楽曲ＩＤを待ち行列の先頭に登録するとともに、後続の各回の選択コマンドにより特定された楽曲ＩＤを、重複を排しつつ待ち行列の末尾に逐次登録する
請求項１または２に記載のカラオケ装置。
【発明の詳細な説明】
【技術分野】
【０００１】
この発明は、リクエストした楽曲紹介オムニバス作品を視聴しながら選曲予約できるカラオケ装置に関し、さらに詳しくは、オムニバス作品の音楽映像短編作品群の中から見つけた好みの楽曲をカラオケで歌えるようにしたカラオケ装置に関する。
【背景技術】
【０００２】
カラオケ装置のデータベースには、膨大な数のカラオケ楽曲についてのカラオケデータが、楽曲ごとに楽曲ＩＤに対応させられて格納されている。カラオケ利用者は歌唱したい曲の楽曲ＩＤを指定して演奏をリクエストすることにより、その楽曲ＩＤに対応させられたカラオケ楽曲を演奏させることができる。
【０００３】
カラオケ楽曲の選曲に際しては歌手やジャンル等の別に検索が可能な目次本が用意されているが、近年は、その検索を多様な切り口から効率よく行えるようにした電子目次本も提供され、選曲の操作が便利になって来ている（たとえば特許文献１参照）。
【０００４】
最近のカラオケ装置のデータベースには、１０万曲以上という膨大な数のカラオケ楽曲についてのカラオケデータが、楽曲ごとに楽曲ＩＤに対応させられて格納されている。カラオケ利用者は歌唱したい曲の楽曲ＩＤを指定して演奏をリクエストすることにより、その楽曲ＩＤに対応させられたカラオケ楽曲を演奏させることができる。
【０００５】
従来、利用者は冊子状の目次本を利用して、楽曲名や歌手名あるいは楽曲ジャンルなどから所望の楽曲を見つけていたが、より効率的に利用者が歌唱したい楽曲を見つけ出す方法として、近年では、各種楽曲検索機能を備えた電子目次本が開発された。そして、従来では、このような膨大な数のカラオケ楽曲の検索を多様な切り口から効率よく行えるようにした電子目次本も提供され、益々選曲の操作が便利になってきている。たとえば特許文献１では、利用者がリクエストした楽曲の楽曲ＩＤに対応するアーチスト名を調べ、同じアーチスト名の楽曲で新譜楽曲と定義されている楽曲が存在した場合には、新譜楽曲のタイトル及び楽曲番号を、リクエスト楽曲の演奏中または前後に表示することにより、楽曲の検索を行わなくても、利用者の好みに応じて新譜楽曲を表示できる技術が開示されている。あるいは、特許文献２では、カラオケ楽曲の演奏の合間に放送するコンテンツ紹介番組を用いて、当該コンテンツの紹介番組の放送中に、利用者からのユーザ入力監視を行い、利用者からユーザ入力があった場合には、自動的にコンテンツの予約番号をカラオケ装置の予約リストに登録する技術が開示されている。
【先行技術文献】
【特許文献】
【０００６】
【特許文献１】特開２０００−１５５５９１
【特許文献２】特開２０００−０９９０４９
【発明の概要】
【発明が解決しようとする課題】
【０００７】
カラオケ利用者は自分の歌いたい曲を自由に選曲してリクエスト（演奏予約）することができるが、その選曲はややもすると、毎回同じような曲目になりがちである。こういったこと続くとマンネリ化してカラオケへの関心や意欲が薄れないとも限らない。
【０００８】
このようなマンネリ化を回避させるため、たとえば特許文献１に記載のカラオケ装置では、利用者の関心に合うような的を得た新譜紹介を効果的に行えるようにしている。
【０００９】
しかし、利用者の関心は新譜だけとは限らない。新譜でなくても、利用者が新たな歌唱の動機付けとなり得るような形での楽曲紹介ができれば、利用者はそれによって、利用者にとっての新曲を発見して歌唱するきっかけを得ることができるかも知れない。既知あるいは旧知の曲であっても、その曲に何か特別な背景が伴えば、利用者はその既知あるいは旧知の曲を新譜のように新鮮な気分で歌唱するかも知れない。
【００１０】
この発明は以上のようなカラオケ特有の技術的背景を鑑みたものであって、その目的は、新譜に限らず既知あるいは旧知の曲であっても、カラオケ利用者に新たな歌唱の動機付けを生じさせ得るような効果的な楽曲紹介の演出が行えるとともに、利用者にその動機付けが生じた場合にはそれに迅速かつ円滑に対応できるようにしたカラオケ装置を提供することにある。
【００１１】
カラオケ利用者は自分の歌いたい曲を自由に選曲してリクエスト（演奏予約）することができるが、その選曲はややもすると、毎回同じような曲目になりがちである。こういったことが続くとマンネリ化してカラオケへの関心や意欲が薄れないとも限らない。このようなマンネリ化を回避させるため、たとえば特許文献１では、利用者の関心に合うような的を得た新譜楽曲を紹介することができるが、利用者は必ずしも好みにアーチストの新譜だけに関心があるとは限らず、たとえば、既知あるいは旧知の楽曲であっても、その楽曲に何か特別な背景が伴えば、利用者はその既知あるいは旧知の曲を新譜のような新鮮な気分で歌唱できるかもしれない。また、特許文献２では、所定の楽曲ＩＤに対応付けられたコンテンツ紹介番組動画の放映中にリクエストをすると当該楽曲を選曲予約することができるが、この技術では、曲間に放映されるコンテンツ紹介番組の出力は、カラオケ装置自体が当該曲間番組の選出を自動的に行っており、全く利用者の意思は反映されていない。
【００１２】
この発明は以上のようなカラオケ特有の技術的背景を鑑みたものであって、その目的は、新譜に限らず既知あるいは旧知の曲であっても、カラオケ装置の利用中に、これら所定の曲に関連する映像作品を再生することで、カラオケ利用者に新たな歌唱の動機付けを生じさせ得るような効果的な楽曲紹介の演出が行えるとともに、利用者にその動機付けが生じた場合にはそれに迅速かつ円滑に対応でき、しかも、所望する映像作品を利用者が自由に選出でき、さらに、利用者間でのカラオケ装置の利用時間に不公平をもたらすことなく当該映像作品を再生できるカラオケ装置を提供することにある。
【課題を解決するための手段】
【００１３】
この発明に係るカラオケ装置は、つぎの事項（１）〜（９）により特定されるものである。  
（１）演奏予約の待ち行列に登録された楽曲ＩＤに対応するカラオケデータをデータベースから取得して当該楽曲のカラオケ伴奏音楽とカラオケ映像作品を音響映像出力するカラオケ装置であること
（２）データベースは、作品ＩＤに対応付けされた楽曲紹介オムニバス作品を含むこと
（３）楽曲紹介オムニバス作品は、複数の異なる楽曲の音楽映像短編作品を時系列に連続させた作品であること
（４）音楽映像短編作品は、楽曲単位で音楽と映像を融合させた音楽映像作品の一部分であり、当該楽曲の楽曲ＩＤが付属していること
（５）演奏予約用の操作入力手段は、作品ＩＤの入力を受け付け可能としていること
（６）制御手段は、作品ＩＤの入力を受け付けた際、当該作品ＩＤを待ち行列に登録すること
（７）制御手段は、待ち行列に登録された作品ＩＤの順番になった際、データベースから取得した当該作品ＩＤの楽曲紹介オムニバス作品を再生すること
（８）操作入力手段は、楽曲紹介オムニバス作品の再生中において、選択コマンドの入力を受け付け可能としていること
（９）制御手段は、選択コマンドの入力を受け付けた際、再生中の音楽映像短編作品に付属している楽曲ＩＤを待ち行列に登録すること
【発明の効果】
【００１４】
新譜に限らず既知あるいは旧知の曲であっても、カラオケ利用者に新たな歌唱の動機付けを生じさせ得るような効果的な楽曲紹介の演出が行えるとともに、利用者にその動機付けが生じた場合にはそれに迅速かつ円滑に対応できる。
【図面の簡単な説明】
【００１５】
【図１】この発明の一実施例を構成するカラオケ装置全体の機能ブロック図である。
【図２】この発明に係るカラオケ装置において主に待ち行列を形成するデータの流れに着目したブロック図である。
【図３】この発明に係るカラオケ装置の要部における動作概略を示すフローチャートである。
【発明を実施するための形態】
【００１６】
＝＝＝カラオケ装置の基本的な構成、楽曲紹介オムニバス作品＝＝＝
この発明の実施例に係るカラオケ装置の概略構成を図１に例示する。  
このカラオケ装置は、周知のパソコン相当のコンピュータ応用機器であって、その中核をなす中央処理装置１１は、ＣＰＵ・ＲＡＭ・ＲＯＭを含むコンピュータ本体を形成する。
【００１７】
この中央処理装置１１の制御管理下に、大容量の外部記憶としてのハードディスク装置１２、ＣＤ−ＲＯＭやＤＶＤ−ＲＯＭなどの光ディスク再生装置１３、光通信回線などの公衆通信回線を介してカラオケホスト装置と通信する通信制御装置１４、利用者からの入力と利用者に向けての応答をやりとりする利用者インターフェイス装置１５、ＭＩＤＩ形式の音楽演奏データに基づいて伴奏音楽の音響信号を生成する音楽生成装置１６、伴奏音楽やマイクロホン２１からの音響信号等を増幅してスピーカ２２から発音する音響装置１７、ＬＣＤやＰＤＰなどを用いたディスプレイ１８、このディスプレイ１８に表示すべき映像データを処理する映像処理装置１９が設置されている。
【００１８】
ハードディスク装置１２には多数のカラオケ楽曲について、ＭＩＤＩデータを主体とした伴奏音楽データと、歌詞画像の生成起源となる歌詞文字データとを含むカラオケデータが蓄積されている。また、所定形式の長時間分の動画データと、動画データの処理シーケンス（処理すべき動画データの格納場所と処理順番など）を規定した台本データや、演奏可能なカラオケ楽曲について、曲名やアーティスト名、発表年、歌詞の歌い出し部分などの目次情報も格納されている。
【００１９】
このハードディスク装置１２が形成するデータベースには、楽曲ＩＤに対応付けられたカラオケデータとともに、作品ＩＤに対応付けされた楽曲紹介オムニバス作品が格納されている。楽曲紹介オムニバス作品は、複数の異なる楽曲の音楽映像短編作品を時系列に連続させた作品であって、各音楽映像短編作品はそれぞれ、楽曲単位で音楽と映像を融合させた音楽映像作品の一部分をなすものであり、当該楽曲の楽曲ＩＤが付属している。
【００２０】
楽曲紹介オムニバス作品は、複数の音楽映像短編作品が特定のテーマやコンセプトに沿って編集され、その全体（複数の音楽映像短編作品の集合体）が１つの作品を構成する。作品は、その視聴を物語的に楽しめるとともに、視聴したカラオケ利用者が、作品の構成素材である音楽映像短編作品の楽曲を歌唱したくなるような演出効果が生じるように制作されていることが望ましい。データベースには、多数の楽曲紹介オムニバス作品がそれぞれ作品ＩＤで識別可能に格納されている。
【００２１】
音楽生成装置１６はカラオケデータ中の伴奏音楽データによって伴奏音楽を生成する。歌詞文字データについては、伴奏音楽に同期して歌唱すべき箇所が色変わりする歌詞画像をビデオＲＡＭに順次ビットマップ展開していく。また、台本データに基づいて所定の動画データを所定の順番で映像処理装置１９に順次転送して歌詞画像の背景動画を復号させる。
【００２２】
音響装置１７はミキシングアンプを含み、音楽生成装置１６で生成された伴奏音楽と、マイクロホン２２に入力された歌声音声とを混合・増幅してスピーカ２２より音響出力する。楽曲紹介オムニバス作品の音楽もこの音響装置１７を介して音響出力される。
【００２３】
映像処理装置１９は、復号した動画映像に歌詞画像をスーパーインポーズ処理してディスプレイ１８に表示出力する。歌詞画像は、伴奏音楽の進行に同期した時系列の歌詞文字データから順次作成される。楽曲紹介オムニバス作品の映像もこの映像処理装置１９を介して表示出力される。
【００２４】
利用者インターフェイス装置１５には、カラオケ装置本体の操作パネル１５１やカラオケリモコン装置２３が含まれ、双方向通信が可能な短距離無線通信手段（ＩｒＤＡトランシーバ・赤外線ＬＥＤ・赤外線受光素子）を備えている。
【００２５】
中央処理装置１１は、各楽曲のカラオケデータ、台本データ、および目次情報を楽曲ＩＤによって識別し、これをカラオケデータベースとして管理する。同様に、楽曲紹介オムニバス作品についても、作品ＩＤによって識別される作品データベースとして管理する。カラオケと作品の両データベースは共に同じデータベース上に構築される。
【００２６】
この中央処理装置１１は、利用者インターフェイス装置１５から予約コマンド（リクエスト）を受信する。予約コマンドは、楽曲ＩＤ（楽曲識別符号）または作品ＩＤ（オムニバス作品識別符号）を含む。この予約コマンドを受信すると、図２に示すように、そのコマンドに含まれている楽曲ＩＤまたは作品ＩＤを受け取った順に処理予約の待ち行列に登録する。そして待ち行列から登録順に楽曲ＩＤまたは作品ＩＤを取り出す。
【００２７】
待ち行列から楽曲ＩＤが取り出された場合は、カラオケデータベースから該当する楽曲用のカラオケデータを取りだして演奏処理に供する。待ち行列から作品ＩＤが取り出された場合は、作品データベースから該当する楽曲紹介オムニバス作品のデータを取りだして再生処理に供する。
【００２８】
予約コマンドは操作パネル１５１またはカラオケリモコン装置２３の操作によって入力される。コマンドが入力されると、そこに含まれている楽曲ＩＤまたは作品ＩＤはいったん待ち行列に登録される。そして、その待ち行列の先頭から順に読み出されて演奏または再生処理される。
【００２９】
＝＝＝この発明に係るカラオケ装置での制御機能＝＝＝
この発明に係るカラオケ装置での制御機能は、図２および図３に示すように、楽曲ＩＤ、作品ＩＤ、選択コマンドの各項目を、利用者インターフェイス装置１５の操作パネル１５１またはカラオケリモコン装置２３のいずれからも入力可能にしている。
【００３０】
この操作入力部から楽曲ＩＤを含む予約コマンドが入力されると、その楽曲ＩＤはいったん待ち行列に登録されて順次処理される。同様に、操作入力部から作品ＩＤを含む予約コマンドが入力されると、その作品ＩＤも楽曲ＩＤと同じ扱いで同じ待ち行列に登録されて処理の順番を待つ。
【００３１】
選択コマンドは、楽曲紹介オムニバス作品に含まれる音楽映像短編作品の楽曲ＩＤをリアルタイムで取得させるためのコマンドであって、ワンタッチの単一操作で入力できるようにしてある。楽曲紹介オムニバス作品の再生中にその選択コマンドの入力操作が行われると、その入力の受付時点（入力操作時とほぼ同時）で再生中の音楽映像短編作品に付属する楽曲ＩＤが取得される。取得した楽曲ＩＤは所定の規則条件にしたがって待ち行列に登録される。
【００３２】
この場合、登録の規則条件は後述するように種々の態様があるが、とりあえずは、操作入力部から入力されたカラオケリクエスト曲の楽曲ＩＤと同じ扱いで登録されると考えてよい。
【００３３】
＝＝＝待ち行列の登録と処理＝＝＝
待ち行列には楽曲ＩＤと作品ＩＤが混在して登録されて順番に処理される。その待ち行列の先頭から楽曲ＩＤが呼び出された場合は、その楽曲ＩＤによって指定されるカラオケ楽曲が演奏される。楽曲ＩＤには、操作入力部から随時入力された楽曲ＩＤと、楽曲紹介オムニバス作品の再生中に選択コマンドによって選択された楽曲ＩＤとがあるが、どちらもその楽曲ＩＤによって指定されるカラオケデータがカラオケデータベースから取り出されてカラオケ演奏される。
【００３４】
待ち行列の先頭から作品ＩＤが呼び出されると、カラオケ装置は、カラオケ楽曲の演奏に代わるものとして、その作品ＩＤに対応づけられた楽曲紹介オムニバス作品を再生する。
【００３５】
作品ＩＤを待ち行列に登録させた利用者が、その作品の再生中にカラオケで歌唱したい音楽映像短編作品を見つけたならば、その短編作品の再生中に選択コマンドの入力操作を行う。この入力操作により、その時点で再生されている音楽映像短編作品に付属している楽曲ＩＤを取得して待ち行列に登録させることができる。楽曲紹介オムニバス作品の再生が終了すると、選択コマンドの受付は停止され、待ち行列の先頭から次のリクエスト（楽曲ＩＤまたは作品ＩＤ）が読み出されて実行される。
【００３６】
このように、予約の待ち行列に楽曲ＩＤと混じって登録された作品ＩＤによって楽曲紹介オムニバス作品の再生を行わせることにより、利用者間でのカラオケ装置の利用時間にそれほどの不公平をもたらすことなく、カラオケ利用者に新たな歌唱の動機付けを生じさせ得るような効果的な楽曲紹介を演出することができる。
【００３７】
また、楽曲紹介オムニバス作品の中の音楽映像短編作品と同じ曲目をカラオケ曲として予約する場合は、操作コマンドの入力という単一的操作によってほぼ瞬時に行うことができる。これにより、利用者に歌唱の動機付けが生じた場合に、それに迅速かつ円滑に対応することができる。
【００３８】
＝＝＝待ち行列の登録に際しての望ましい諸条件＝＝＝
楽曲紹介オムニバス作品中の音楽映像短編作品に付属する楽曲ＩＤを取得して待ち行列に登録する際には、次の条件（１）〜（４）のいずれかの規則条件を設定することが望ましい。
【００３９】
（１）楽曲紹介オムニバス作品の再生中において、選択コマンドの入力を１回だけ受け付けるようにする。  
この条件設定は、１回の楽曲紹介オムニバス作品の再生で予約できるカラオケ楽曲が一つだけに限定されるので、利用者間の公平性が高まる。
【００４０】
（２）受け付けた選択コマンドにより特定された楽曲ＩＤを待ち行列の先頭に登録する。  
この設定条件によれば、視聴したばかりのオムニバス作品中に含まれる音楽映像短編作品を、その印象や余韻がまだ鮮明な間に歌唱することができるので、カラオケ利用現場の雰囲気を一層盛り上げられるとともに、歌の上達も期待される。
【００４１】
（３）楽曲紹介オムニバス作品の再生中において、選択コマンドの入力を複数回受け付け、各回の選択コマンドにより特定された楽曲ＩＤを、重複を排しつつ待ち行列の末尾に逐次登録する。  
１回の楽曲紹介オムニバス作品の再生中に複数の選択コマンドの入力受付を許容した場合、同じ音楽映像短編作品を重複して選択してしまうことが起きやすい。このような場合、同じ楽曲ＩＤが重複して待ち行列に登録されてしまうのを防止してカラオケ利用を効率化させることができる。
【００４２】
（４）楽曲紹介オムニバス作品の再生中において、選択コマンドの入力を複数回受け付け、最初の選択コマンドにより特定された楽曲ＩＤを待ち行列の先頭に登録するとともに、後続の各回の選択コマンドにより特定された楽曲ＩＤを、重複を排しつつ待ち行列の末尾に逐次登録する。  
１回の楽曲紹介オムニバス作品の再生中に複数の選択コマンドの入力受付を許容した場合、最初に選択した音楽映像短編作品の曲目だけは、それが再生されて間もない間に歌唱することにより、その場の雰囲気を盛り上げることができるとともに、他は順番を最後に回すことにより、他の利用者との間の公平性を得ることができる。
【符号の説明】
【００４３】
１２  ハードディスク装置
１３  光ディスク再生装置
１４  通信制御装置
１５  利用者インターフェイス装置
１５１  操作パネル
１６  音楽生成装置
１７  音響装置
１８  ディスプレイ
１９  映像処理装置
２１  マイクロホン
２２  スピーカ
２３  カラオケリモコン装置
【図１】
2010237557.tif 000003
【図２】
2010237557.tif 000004
【図３】
2010237557.tif 000005